(57)【要約】【課題】汚水が第一タンクと第二タンクの濾過工程を経ることにより、良好な浄化効果を達成することのできる汚水浮遊物除去タンクを提供する。【解決手段】第一タンク１０は、汚水を第一タンク１０内に引き入れる入水口１１を備え、並びに、第一タンク１０内に流動ルートを作り、汚水を第一タンク１０上に設置した出水口１３から排出させる。第二タンク２０は入水口２１を備え、前記入水口２１を前記第一タンク１０の出水口１３と連結状態を形成し、汚水を第二タンク２０内に導き入れる。排出部２２は、第二タンク２０上の周辺に設けてあり、水面上に浮かぶ汚染物質を外方向に排除する。また、第二タンク２０に設置した出水孔２３は、濾過した水液を外方向に導き出す。これにより、公知技術と比べ更に良好な浄化効果を持つ汚水浮遊物除去タンクを構築することができる。【選択図】  図１
0003139559.tif 000002
【実用新案登録請求の範囲】
【請求項１】
第一タンクと第二タンクとを含む汚水浮遊物除去タンクであって、前記第一タンクは、汚水を第一タンク内に引き入れる入水口を備え、汚水は一つのタンク内に予め設けた流動ルートを経て、出水口から排出し、第二タンクに流入し、該第二タンク内で汚染物質浮遊物除去の工程を行い、排出部は第二タンクの上方向位置に設け、水面上に浮かぶ汚染物質を外方向に排除し、出水孔は第二タンクの下方位置に設け、汚染物質浮遊物を除去した下方位置の濾過水液を外方向に導き出して使用することを特徴とする、汚水浮遊物除去タンク。
【請求項２】
さらに撹拌動作部品を有する調和装置を備え、前記撹拌動作部品を前記第一タンク及び前記第二タンクのいずれか一つのタンク内部に設けることを特徴とする、請求項１記載の汚水浮遊物除去タンク。
【請求項３】
前記第一タンクは第二タンクより細長い輪廓であることを特徴とする、請求項１又は請求項２項記載の汚水浮遊物除去タンク。
【請求項４】
前記入水口は、第一タンクの下端エリア近くに設けられることを特徴とする、請求項１乃至請求項３のいずれか１項記載の汚水浮遊物除去タンク。
【請求項５】
前記第一タンクには別の入水口を設けることを特徴とする、請求項１乃至請求項４のいずれか１項記載の汚水浮遊物除去タンク。
【請求項６】
前記別の入水口は、第一タンクの下端エリアに設けることを特徴とする、請求項５記載の汚水浮遊物除去タンク。
【請求項７】
前記第二タンクは、第一タンクの下方位置に設け、一つの入水口を備え、並びに、上向きの連結部品によって該第一タンクの出水口と連結することを特徴とする、請求項１乃至請求項６のいずれか１項記載の汚水浮遊物除去タンク。
【請求項８】
前記入水口は第二タンクの中段位置に設けることを特徴とする、請求項１乃至請求項７のいずれか１項記載の汚水浮遊物除去タンクの構造。
【請求項９】
前記第一タンクの排出部に近い箇所には、タンク内の汚染物質排除を行う為の排除装置を設け、該排除装置は少なくとも一つのすり切りを備えることを特徴とする、請求項１乃至請求項８のいずれか１項記載の汚水浮遊物除去タンクの構造。
【考案の詳細な説明】
【技術分野】
【０００１】
本考案は、新型汚水処理装置に係り、特に汚水が第一タンクと第二タンクの濾過工程を経過することにより、良好な浄化効果を達成する汚水浮遊物除去タンクに関する。
【背景技術】
【０００２】
公知の汚水浮遊物除去装置の構造形態には、通常、汚水を入れるタンクを備えており、該タンク内には気泡を加え、水中の汚染物質はその気泡に付着した後水面に浮かんで泡浮遊物層を形成し、その後それを排除する仕組みになっている。このような汚水処理方式は、水資源をリサイクルでき、用水量を減少し、水資源を節約することができる。よって、多くは養殖漁業、汚水処理場、生活用水の二次使用に応用されている。
【０００３】
理解すべき点は、一般の浮遊物除去装置には、上述のタンクと気泡を加える構造を備える他、更に効果的に水中の汚染物質を除去する為に、撹拌装置を設置して気泡と汚染物質の接触を強化している点にある。また、処理する汚水中に汚れを付着する物質を加えており、撹拌装置の助けによって水中の汚染物質付着を強化したり、有毒成分を付着させる為の付着成分を添加することにより、更にきれいな二次用水を得ることが可能となる。
【考案の開示】
【考案が解決しようとする課題】
【０００４】
公知の汚水浮遊物除去設備の構造を設計し直す場合、それに、異なる構造形態、良好な濾過効果、簡易な全体構造を持たせることにより、その応用範囲を拡大でき、日常生活における多利用、特に水資源不足地域に役立たせることが可能となる。
【課題を解決するための手段】
【０００５】
本考案の主な目的は、汚水浮遊物除去タンクを提供するものであり、それは複数タンクを組み合わせた汚水浮遊物除去構造であり、濾過効果を向上させる作用を達成する。
【０００６】
本考案は、第一タンクと第二タンクを含む汚水浮遊物除去構造であって、第一タンクは汚水をタンク内に引き入れる入水口を備え、並びに、外部から汚染除去物質を汚水内に加える別の入水口を備え、汚水は第一タンク内に予め設けた流動ルートを通って、第一タンク上に設置した出水口から排出され、並びに、連結部品を経て第二タンクに導き流入される。前述の第二タンクは入水口を備え、連結部品によって汚水を第二タンク内に導き入れることにより、汚水は第二タンク内において第二次汚染除去工程を行う。排出部は第二タンク上の周囲面に設けてあり、水面上に浮かぶ汚染物質は自ら外方向に溢れ出して排除されるか、排除装置によって自動的に水面に浮かぶ泡が外方向に排除される。出水孔は第二タンク上に設け、雑質排除した水液を外方向に導き出す。また、最低一つのタンクに汚染除去物質を均等に汚水内に散布する調和装置を取り付けることにより、更に良好な水質を得ることができる。
【考案の効果】
【０００７】
以上説明したように本考案の汚水浮遊物除去タンクは、複数タンクを組み合わせたことにより、公知技術と比較し、更に良好な濾過効果を達成することができる。
【考案を実施するための最良の形態】
【０００８】
本考案が有する新規性、進歩性、特徴、目的と効果は、図面を添付した次の詳細説明によって更に理解を深めることができる。
【０００９】
図１、図２に示した本考案の一実施例において、第一タンク１０は汚水を第一タンク１０内に引き入れる入水口１１を備え、並びに、外部から汚染除去物質を汚水内に加える為の別の入水口１２を設け、汚水は第一タンク１０内に予め設けた流動ルートを通って、第一タンク１０上端に設置した出水口１３から排出、並びに、連結部品によって汚水を下方位置にある第二タンク２０に導き流入させる。
【００１０】
前述の第二タンク２０の径は、第一タンク１０の径より大きく、第二タンク２０に備えた入水口２１は前述の第一タンク１０の出水口１３と連結状態を形成し、並びに、汚水を第二タンク２０内に導き入れることにより、汚水は第二タンク２０内において第二次汚染除去工程を行う。排出部２２は第二タンク２０の一方側面上方エリアに設けてあり、第二タンク２０内の水面上に浮かぶ汚染物質は自ら外方向に溢れ出して排除されるか、排除装置４０によって自動的に水面に浮かぶ泡が外方向に排除される。
【００１１】
本考案の実施例において、該排除装置４０はすり切り４１を備えており、排除装置４０の駆動によって、水面上の泡雑質は排出部２２方向に押し出し排出される。また、出水孔２３は、該第二タンク２０の側面下方エリアに設けてあり、雑質を排除した二次水を外方向に導き出す働きをする。
【００１２】
採用した実施例において、該第一タンク１０は第二タンク２０の上方に設け、径の小さくて高さのある細長い形態の輪廓を有している為、汚水を迅速に通過させ、且つ、距離の長い撹拌作用を持つ。該入水口１１は第一タンク１０の下端エリアにあり、外部から引き入れ気体を混合した汚水、及び、入水口１２から加えられた汚染除去物質は、第一タンク１０の下方向から上方向に上昇する。
【００１３】
本実施例において、気泡及び汚染除去物質が更に均等に汚水中に散布できるように、調和装置３０を取り付けており、それは撹拌動作部品３１を有し、該第一タンク１０内に垂直に設置されている。汚水は、該第一タンク１０の細長い空間が形成するルートを経過、該調和装置３０によって気泡及び汚染除去物質が十分に均等に汚水中に散らされた後、タンク上方に設置した出水口１３から排出する。
【００１４】
図３には、本考案の汚水浄化の過程及び濾過方式を示す。気体を含んだ汚水が、入水口１１から外部のポンプによって第一タンク１０の底部に引導された時、該第一タンク１０内の水位（または元々中にあった汚水）は上方向に上昇する。この上方向に水量が上昇する過程において、該撹拌動作部品３１は、連続的にこの汚水を撹拌し、汚水と気泡と汚染除去物質を均等に調和させる。また、細長い流動ルートにおいて、該気泡と汚染除去物質は十分な時間で水中の汚染物質を付着する。
【００１５】
水位が該第一タンク１０上端近くの位置まで継続して上昇すると、汚水は、該出水口１３から外方向に流出、連結部品１４（本実施例においては導水管）に進入する。十分に気泡を混合した汚水は、入水口２１を経て、幅広の第二タンク２０に進入する。採用した実施例において、入水口２１は第二タンク２０の中段箇所付近に設置しており、十分に混合され気泡を付着した汚染物質は、第二タンク２０内で徐々に水面上方向に浮かんで集まり、汚染物質を除去された浄水は該第二タンク２０下方に沈み、前述の気泡を吸収した汚染物質は、徐々に排出部２２から外方向に溢れ出すか、該すり切り４１の働きによって外方向にこそぎ取り除かれる。上述の下方向に沈んだ濾過浄水液は、第二タンク２０下端に位置する出水孔２３より出て使用者に利用される。
【００１６】
該第一タンク１０は、汚水とそれらの水中雑質を除去するのに用いる物質を完全に調和させた後、更に、それを該第二タンク２０に導いて静置し、水液と汚染物質を沈澱した後に分離している。実際には、汚染除去物質の混合過程を濾過作業の前段階に設定して行うことにより、濾過作業後の段階における汚染物質と水液分離の効果は、その静置沈澱の過程で更に完全なものとなる。公知技術のような単一タンクを使用し、汚染除去物質の調和、静置沈澱、汚染物質排除を同時に行う構造と比較すると、比較的良好な汚染物質除去効果が得られる。
【００１７】
公知技術の浮遊物除去構造が水中汚染物質除去過程において、撹拌によって汚染物質と水液を完全分離することができないことに対し、上述した本考案の汚水浮遊物除去タンクの構造は、この分離式タンク構造の汚染除去構造によって、公知技術の欠点を確実に改善し、良好な汚染物質濾過除去効果を持ち、大きな進歩を遂げた。
【００１８】
但し、上述したものは、本考案の実施例を説明する為のものであり、本考案の実施範囲を制限するものでないことを明記する。即ち、本考案の実用新案登録請求の範囲に基づいてなされた変化と修飾は全て、本考案の請求の範囲に含まれるものとする。
【図面の簡単な説明】
【００１９】
【図１】本考案実施例の立体図
【図２】本考案図１の断面図
【図３】本考案図１の作動図
【符号の説明】
【００２０】
１０        第一タンク
１１        入水口
１２        入水口
１３        出水口
１４        連結部品
２０        第二タンク
２１        入水口
２２        排出部
２３        出水孔
３０        調和装置
３１        撹拌動作部品
４０        排除装置
４１        すり切り
【図１】
0003139559.tif 000003
【図２】
0003139559.tif 000004
【図３】
0003139559.tif 000005